(57)【要約】【課題】  運搬、取扱時や、施工時に上下の滑り部材が互いにずれることを防止でき、施工後の処理作業が不要な免震建物の免震滑り支承を提供する。【解決手段】  免震建物の免震滑り支承１は、免震建物の下部構造体の上に設置された下側滑り部材３と、この下側滑り部材３上に相対滑り自在に積み重なり上部構造体に結合された上側滑り部材２とを有する。上下の滑り部材２，３の側面に亘って貼り付けられ、上下の滑り部材２，３の相対滑りを阻止する滑り止めシート５を備える。この滑り止めシート５は、上下の滑り部材２，３の相対滑りをする滑り接触面に沿って他の部分よりも脆弱な脆弱部を有する。地震による力が作用した場合、上下の滑り部材２，３が相対滑りをすることによって滑り止めシート５が脆弱部で破断する。脆弱部は、例えばミシン目６によるものである。【選択図】        図１
2016017297.tif 000002
【特許請求の範囲】
【請求項１】
下部構造体と上部構造体とからなる免震建物の前記下部構造体の上に設置された下側滑り部材と、この下側滑り部材上に相対滑り自在に積み重なり前記上部構造体に結合された上側滑り部材とを有する免震建物の免震滑り支承において、
前記上下の滑り部材の側面に亘って貼り付けられて、前記上下の滑り部材の前記相対滑りを阻止する滑り止めシートを備え、この滑り止めシートは、前記上下の滑り部材の前記相対滑りをする滑り接触面に沿って他の部分よりも脆弱な脆弱部を有し、地震による力が作用した場合、前記上下の滑り部材が前記相対滑りをすることによって前記脆弱部で破断することを特徴とする免震建物の免震滑り支承。
【請求項２】
請求項１に記載の免震建物の免震滑り支承において、前記上下の滑り部材は発泡樹脂製であって、上下いずれか一方の滑り部材における他方の滑り部材との滑り接触面が、前記発泡樹脂製の滑り部材よりも摩擦係数が小さく弾性変形し難い滑り性向上材からなる免震建物の免震滑り支承。
【請求項３】
請求項１または請求項２に記載の免震建物の免震滑り支承において、前記滑り止めシートの脆弱部はミシン目によるものである免震建物の免震滑り支承。
【請求項４】
請求項１ないし請求項３のいずれか１項に記載の免震建物の免震滑り支承において、前記滑り止めシートの前記滑り部材の側面に貼り付けられる面と反対側の面における前記脆弱部を挟んだ両側で、かつ前記貼り付けられる面のうちの前記滑り部材に貼り付けられる範囲となる位置に、前記滑り止めシートよりも弾性変形し難い板状の剥がれ防止材がそれぞれ貼り付けられている免震建物の免震滑り支承。
【請求項５】
請求項１ないし請求項４のいずれか１項に記載の免震建物の免震滑り支承において、前記滑り止めシートは、前記滑り部材の角部を挟む両側の側面に亘って貼り付けられている免震建物の免震滑り支承。
【発明の詳細な説明】
【技術分野】
【０００１】
この発明は、戸建て住宅やその他の種々の免震建物における下部構造体と上部構造体との間に設けられ、地震等による横揺れが下部構造体から上部構造体に伝わるのを抑制する免震滑り支承に関する。
【背景技術】
【０００２】
基礎とＲＣ架台の間に免震滑り支承を設けた免震建物の場合、基礎の上に免震滑り支承を設置してから、この免震滑り支承の上にＲＣ架台を製作する。免震滑り支承は、２つの滑り部材を上下に重ね合わせた構成であって、横揺れを受けると、上下の滑り部材の接触面で滑りを生じさせて、免震性能を発揮する。
【先行技術文献】
【特許文献】
【０００３】
【特許文献１】特開２００８−２３１７５３号公報
【特許文献２】特開２００４−３３２３３９号公報
【特許文献３】特開２００８−１１６０３９号公報
【特許文献４】特開２００７−７０８５９号公報
【特許文献５】特開２０００−２５７０８０号公報
【発明の概要】
【発明が解決しようとする課題】
【０００４】
前記免震滑り支承は、その特性上、運搬時や設置時に上下の滑り部材が互いにずれる可能性があり、取扱いに注意を要する。運搬時や設置時のずれを防止するだけであれば、上下の滑り部材を粘着テープ等の滑り止め材で止めておき、設置終了後に滑り止め材を取り外せばよい。しかし、後でＲＣ架台を製作する際、型枠にコンクリートを流し入れるときの衝撃で、上下の滑り部材が互いにずれる可能性がある。コンクリート打設時も滑り止め材で固定しておくと、コンクリートが固化した後、前記滑り止め材を取り外して免震機能を発揮可能とする処理作業を行わなくてはならない。しかし、ＲＣ架台が出来上がった段階では基礎とＲＣ架台の間に狭い隙間しかないので、滑り止め材に手や工具が届き難く、前記施工後の処理作業を実施し難い。
【０００５】
この発明の目的は、運搬、取扱時や、施工時に上下の滑り部材が互いにずれることを防止でき、施工後の処理作業が不要な免震建物の免震滑り支承を提供することである。
【課題を解決するための手段】
【０００６】
この発明の免震建物の免震滑り支承は、下部構造体と上部構造体とからなる免震建物の前記下部構造体の上に設置された下側滑り部材と、この下側滑り部材上に相対滑り自在に積み重なり前記上部構造体に結合された上側滑り部材とを有する免震建物に用いられ、前記上下の滑り部材の側面に亘って貼り付けられて、前記上下の滑り部材の前記相対滑りを阻止する滑り止めシートを備え、この滑り止めシートは、前記上下の滑り部材の前記相対滑りをする滑り接触面に沿って他の部分よりも脆弱な脆弱部を有し、地震による力が作用した場合、前記上下の滑り部材が前記相対滑りをすることによって前記脆弱部で破断することを特徴とする。
前記脆弱部は、免震が必要な程度の大きさの地震では破断するが、この免震滑り支承の運搬、取扱時や、この免震滑り支承を設置した状態で構築される前記上部構造体のＲＣ架台のコンクリート打設時に通常に作用する力では破断しない強さを有するものとする。
【０００７】
この構成によると、上下の滑り部材の側面に亘って滑り止めシートが貼り付けられているため、運搬、取扱時の衝撃や、上部構造体のＲＣ架台を構築するためのコンクリート打設時の衝撃等により、上下の滑り部材が互いにずれることが防止される。地震が発生した場合には、上下の滑り部材が相対滑りをすることによって滑り止めシートが脆弱部で破断し、免震滑り機能を発揮する。脆弱部は上下の滑り部材の互いの滑り接触面に沿って設けられているため、地震により滑り止めシートが上側部分と下側部分とに分断されたときに、上下両部分の破断縁部が上下の滑り部材に干渉することが少なく、免震滑り機能に与える影響を抑えることができる。施工後も滑り部材に滑り止めシートを貼り付けたままでよいので、施工後の処理作業が不要である。
【０００８】
この発明において、前記上下の滑り部材は発泡樹脂製であって、上下いずれか一方の滑り部材における他方の滑り部材との滑り接触面が、前記発泡樹脂製の滑り部材よりも摩擦係数が小さく弾性変形し難い滑り性向上材からなっていても良い。
発泡樹脂は、軽量で、加工性が良く、しかも安価に製作することができる。ただし、発泡樹脂同士を接触させると、各発泡樹脂材が弾性変形して互いの滑り接触面が平坦な状態ではなくなり、十分な滑り性能が得られない恐れがある。そこで、上下いずれか一方の滑り部材における他方の滑り部材との滑り接触面に、弾性変形し難い材質、すなわち硬質の滑り性向上材を設けることで、上下の滑り部材の互いの滑り接触面を平坦な状態に保つことができ、上下の滑り部材の滑り性能を良くする。
【０００９】
この発明において、前記滑り止めシートの脆弱部はミシン目によるものであっても良い。
ミシン目による脆弱部とすると、滑り止めシートに脆弱部を容易にかつ低コストで形成することができる。また、滑り止めシートの破断箇所をミシン目に沿った線上に特定することができるため、地震により滑り止めシートが上側部分と下側部分とに分断されたときに、上下両部分の破断縁部が上下の滑り部材に干渉することをより一層少なくできる。
【００１０】
この発明において、前記滑り部材と前記滑り止めシートとの接着に両面粘着テープを用いても良い。
両面粘着テープを用いると、滑り部材と滑り止めシートを簡単に接着することができる。
【００１１】
両面粘着テープを用いる場合、前記滑り止めシートの前記滑り部材の側面に貼り付けられる面と反対側の面における前記脆弱部を挟んだ両側で、かつ前記貼り付けられる面のうちの前記滑り部材に貼り付けられる範囲となる位置に、前記滑り止めシートよりも弾性変形し難い板状の剥がれ防止材がそれぞれ貼り付けられていると良い。
滑り止めシートは、端から少しずつ捲るように剥がすと剥がれ易い。このため、滑り止めシートが滑り部材から剥がれ易いという傾向がある。ただし、全体を同時に剥がそうとすると剥がれ難い。この点に着目し、滑り止めシートの上記位置に板状の剥がれ防止材を貼り付けることで、滑り止めシート全体にまたは広範囲に剥がす力が同時に作用するようにした。これにより、滑り止めシートと共に両面粘着テープが端から捲れることが防止されて、滑り部材から滑り止めシートが剥がれ難くなる。
【００１２】
この発明において、前記滑り止めシートは、前記滑り部材の角部を挟む両側の側面に亘って貼り付けると良い。
この場合、上下の滑り部材の角部を揃えて、これら上下の滑り部材を精度良く位置決めして堅固に滑りを阻止することができる。
【発明の効果】
【００１３】
この発明の免震建物の免震滑り支承は、下部構造体と上部構造体とからなる免震建物の前記下部構造体の上に設置された下側滑り部材と、この下側滑り部材上に相対滑り自在に積み重なり前記上部構造体に結合された上側滑り部材とを有する免震建物に用いられ、前記上下の滑り部材の側面に亘って貼り付けられて、前記上下の滑り部材の前記相対滑りを阻止する滑り止めシートを備え、この滑り止めシートは、前記上下の滑り部材の前記相対滑りをする滑り接触面に沿って他の部分よりも脆弱な脆弱部を有し、地震による力が作用した場合、前記上下の滑り部材が前記相対滑りをすることによって前記脆弱部で破断するため、運搬、取扱時や、施工時に上下の滑り部材が互いにずれることを防止でき、施工後の処理作業が不要である。
【図面の簡単な説明】
【００１４】
【図１】この発明の一実施形態にかかる免震建物の免震滑り支承の斜視図である。
【図２】（Ａ）は同免震滑り支承の部分正面図、（Ｂ）はその断面図である。
【図３】剥がれ防止材がない場合とある場合とにおける滑り止めシートの剥がれ易さを比較する説明図である。
【図４】滑り止めシートに脆弱部がある場合とない場合とにおける地震時の免震滑り支承の動作を比較する説明図である。
【図５】免震建物の一例における基礎の構成を示す斜視図である。
【図６】同免震建物の免震滑り支承設置部の垂直断面図である。
【発明を実施するための形態】
【００１５】
この発明の実施形態を図面と共に説明する。
図１に示すように、この免震建物の免震滑り支承１は平面形状が長方形であり、互いに滑り自在に積み重なる板状の上側および下側の滑り部材２，３を備える。免震滑り支承１の平面形状は、長方形に限定されない。後述するように、下側の滑り部材３は免震建物の基礎１１（図６）等の下部構造体の上に設置され、上側の滑り部材２の上に免震建物の上部構造体１５（図６）が設置される。
【００１６】
上下の滑り部材２，３は、例えば、押出発泡ポリスチレン等の発泡樹脂製である。具体的には、スタイロフォーム（登録商標）が好適に用いられる。滑り部材２，３の素材を発泡樹脂としたのは、軽量で、加工性が良く、しかも安価に製作することができるという利点を有するからであるが、滑り部材２，３の素材は発泡樹脂以外であってもよい。
【００１７】
図２に示すように、下側の滑り部材３の上側の滑り部材２との滑り接触面は、滑り性を向上させるための滑り性向上材４からなる。つまり、下側の滑り部材３は、発泡樹脂製の滑り部材本体３ａと滑り性向上材４とで構成される。滑り性向上材４は、滑り部材２，３を構成する前記発泡樹脂よりも摩擦係数が小さく弾性変形し難い材料、例えばステンレス板等の鋼板からなり、その滑り接触面となる表面４ａはフッ素樹脂加工による平滑面となっている。
【００１８】
図１において、上下の滑り部材２，３の四隅の角部には、上下の滑り部材２，３の側面を互いに連結し上下の滑り部材２，３の相対滑りを阻止する滑り止めシート５が貼り付けられている。この滑り止めシート５は、上下の両滑り部材２，３に亘って貼り付けられており、下側の滑り部材３と上側の滑り部材２との滑り接触面に沿ってミシン目６が設けられている。ミシン目６は、地震による上下の滑り部材２，３の相対滑りによって破断する脆弱部である。滑り部材２，３の四隅の角部に滑り止めシート５を貼り付けると、上下の滑り部材２，３の角部を揃えて、上下の滑り部材２，３を精度良く位置決めして堅固に滑りを阻止することができる。
【００１９】
図２（Ｂ）に示すように、滑り部材２，３と滑り止めシート５との接着には、両面粘着テープ７が用いられている。両面粘着テープ７は、粘着面を覆う離型紙（図示せず）を剥がして用いられる。両面粘着テープ７を用いると、滑り部材２，３と滑り止めシート５を簡単に接着することができる。ただし、両面粘着テープ７以外の手段、例えば接着剤により滑り部材２，３と滑り止めシート５を接着しても良い。
【００２０】
ミシン目６による滑り止めシート５の脆弱部の単位長さ当たりの許容抵抗力Ｐは、下記の式１で求めることができる。許容抵抗力Ｐは、滑り止めシート５が破断する水平力のことである。
Ｐ＝（Ｗ×μ×０．１）／Ｌ・・・式１
ただし、
Ｗ：上部構造重量
μ：滑り接触面の摩擦係数
Ｌ：滑り止めシートの長さ
である。
なお、式１の係数「０．１」は、滑り止めシート５が滑り接触面の動きに対し、影響を与えない大きさとして設定した値である。設計では、脆弱部の抵抗力が許容抵抗力Ｐ以下となるように設定する。
【００２１】
脆弱部をミシン目６によるものとすると、滑り止めシート５に脆弱部を容易にかつ低コストで形成することができる。また、滑り止めシート５の破断箇所をミシン目６に沿った線上に特定することができるため、地震により滑り止めシート５が上側部分と下側部分とに分断されたときに後述の効果が得られる。
【００２２】
滑り止めシート５の脆弱部としては、ミシン目６以外に、滑り止めシート５の破断箇所となる部分を他の部分よりも強度の弱い別素材とする構成、前記滑り接触面と交差する方向の力に対しては強く、前記滑り接触面に沿う方向の力に対しては弱い素材を用いる構成等を採用してもよい。
【００２３】
また、図２に示すように、滑り止めシート５の外面には、ミシン目６を挟んだ両側で、かつ前記両面粘着テープ７とほぼ同じ位置に、滑り止めシート５よりも弾性変形し難い板状の剥がれ防止材８がそれぞれ貼り付けられている。剥がれ防止材８は、例えばアクリル板等の矩形のプラスチック板からなり、例えば両面粘着テープ９により滑り止めシート５に貼り付けられる。
【００２４】
この例のように滑り部材２，３が発泡樹脂製である場合、滑り部材２，３に両面粘着テープ７を強固に接着させるのは難しい。そのため、図３（Ａ）のように、剥がれ防止材８が無い場合、滑り止めシート５が両面粘着テープ７と共に端から捲れて滑り部材２，３から剥がれ易い。しかし、図３（Ｂ）のように、滑り止めシート５に剥がれ防止材８が貼り付けられていると、滑り止めシート５の全体または広範囲に剥がす力が同時に作用することとなるため、滑り止めシート５と両面粘着テープ７が端から捲れることが防止されて、滑り部材２，３から滑り止めシート５が剥がれ難くなる。
【００２５】
上記構成の免震滑り支承１の作用について説明する。
地震が発生して免震滑り支承１に水平力が作用すると、図４（Ａ）のように、滑り止めシート５のミシン目６の部分で上下に分離するように滑り止めシート５が破断して、上下の滑り部材２，３が互いの滑り接触面に沿い相対滑りすることで、免震滑り機能を発揮する。破断された滑り止めシート５の下側部分５ａは下側の滑り部材３に接着されたまま残り、上側部分５ｂは上側の滑り部材２と共に水平移動する。ミシン目６は前記滑り接触面に沿って設けられているため、滑り止めシート５は滑り接触面の高さで下側部分５ａと上側部分５ｂに分断される。そのため、分断された下側部分５ａおよび上側部分５ｂの破断縁部が両滑り部材２，３に干渉することがなく、免震滑り機能に影響を与えない。
【００２６】
仮に、滑り止めシート５にミシン目６等の脆弱部が設けられていないと、図４（Ｂ）のように、地震が発生しても滑り止めシート５が上下に分断されず、滑り止めシート５が、例えば上側の滑り部材２から剥がれて下側の滑り部材３に接着したままとなる。この場合も、上下の滑り部材２，３が互いの滑り接触面に沿い相対滑りする。しかし、図４（Ｂ）の右図の状態から上側の滑り部材２が図の左方向に水平移動するときに、上側の滑り部材２が滑り止めシート５の下側の滑り部材３よりも上方に突出した部分に当たる。それにより、上側の滑り部材２の滑りの抵抗となり、十分な免震滑り機能を発揮できない可能性がある。また、滑り止めシート５の一部または全体が上下の滑り部材２，３の間に巻き込まれてしまい、免震滑り機能が損なわれる恐れがある。滑り止めシート５が脆弱部で分断されれば、このような不具合が生じず、常に十分な免震滑り機能を発揮することができる。
【００２７】
この免震滑り支承１は、上側および下側の滑り部材２，３の側面に両滑り部材２，３に亘って滑り止めシート５が貼り付けられているため、運搬、取扱時の衝撃や、後述のＲＣ架台１６（図６）を構築するためのコンクリート打設時の衝撃等により、上下の滑り部材２，３が互いにずれることが防止される。免震が必要な程度の大きさの地震が発生した時に滑り止めシート５が破断する構成であるため、施工後も滑り部材２，３に滑り止めシート５を貼り付けたままでよく、滑り止めシート５を撤去する等の施工後の処理作業が不要である。
【００２８】
この免震滑り支承１の設置例について説明する。
図５は、免震滑り支承１が設置される免震建物の基礎を示す。基礎１１は、請求項で言う「下部構造体」のことである。下部構造体である基礎１１の上に、複数の免震滑り支承１が、互いに離れて複数箇所に設けられる。基礎１１は、建物本体（図示せず）の外周に沿う外周基礎部１１ａと、この外周基礎部１１ａの対向辺間に跨る梁状基礎部１１ｂと、外周基礎部１１ａで囲まれる内側領域の一部に外周基礎部１１ａから切り離されて設けられる独立基礎部１１ｃとを有する。外周基礎部１１ａの一部分からは、この外周基礎部１１ａで囲まれる内側領域に向けて複数の内側突出基礎部１１ｄが延ばされている。このほか、外周基礎部１１ａの一部には外側に向けて張り出した外側突出部分１１ａａが設けられている。
【００２９】
免震滑り支承１は、前記外周基礎部１１ａ上、梁上基礎部１１ｂ上、および独立基礎部１１ｃ上にそれぞれ設けられる。内側突出基礎部１１ｄ上には、複数の復元材１２および風ストッパー１３が設けられる。復元材１２は、免震滑り支承１が地震で滑りを生じた場合に、上部構造体１５（図６）を元の位置に戻す機構である。風ストッパー１３は、上部構造体１５に作用する風荷重により、免震滑り支承１で滑りが発生することを防止するためのストッパーである。基礎１１上に設置される上部構造体１５側には、前記風ストッパー１３に係合する部材（図示せず）があり、地震等による大きな揺れがあると風ストッパー１３が外れるようにされている。
【００３０】
図６は、免震滑り支承１の設置部の断面図である。同図に示すように、下側の滑り部材３は下部構造体である基礎１１の上に設置され、上側の滑り部材２の上に上部構造体１５が設置される。図の例では、上部構造体１５はＲＣ架台１６とその上に構築される建物本体１７とからなる。図６は基礎１１とＲＣ架台１６の間に免震滑り支承１を設けた例を示すが、ＲＣ架台１６を設けず、基礎１１と建物本体１７の間に免震滑り支承１を設けても良い。
【符号の説明】
【００３１】
１…免震建物の免震滑り支承
２…上側の滑り部材
３…下側の滑り部材
４…滑り性向上材
５…滑り止めシート
６…ミシン目（脆弱部）
７…両面粘着テープ
８…剥がれ防止材
１１…基礎（下部構造体）
１５…上部構造体
１６…ＲＣ架台
【図１】
2016017297.tif 000003
【図２】
2016017297.tif 000004
【図３】
2016017297.tif 000005
【図４】
2016017297.tif 000006
【図５】
2016017297.tif 000007
【図６】
2016017297.tif 000008